(57)【要約】【課題】操作端末機の操作指令信号を操作時間とともに記録するとともに、これらに続いて燃料充填装置、伝票印字装置およびコンピュータとの通信情報を記録するように構成した燃料充填ステーションにおけるログ記録装置を提供する。【解決手段】操作端末機３からの指令信号をその操作時間とともに記録するとともに、これにつづいて燃料充填装置２、伝票印字装置３ｆおよびコンピュータ４との通信情報を記録するように構成されているため、エラー発生時に充填作業自体に問題のないことを確認した後、後続の充填作業を行って後でも、エラー直前の各機器の動作状態を知ることができ、エラー原因の発見が容易となる等の利点がある。また、本発明はメモリ部を二分して一方のメモリ部が満杯近くなると、他方のメモリ部の記録を削除して新たな情報を記録するようにしているので、誤って直近の記録を削除するようなことは皆無となる。【選択図】図１
2004083041.tif 000002
【特許請求の範囲】
【請求項１】
充填ノズルを備えた燃料充填装置と、各種情報を入出力する操作端末機と、この操作端末機との間で各種情報を通信するとともに発行伝票の発行番号、伝票情報等各種情報を記憶する主記憶部を有するコンピュータとを備え、操作端末機に設けられた伝票印字装置により燃料充填装置からの充填情報を印字した伝票を発行するように構成した燃料充填ステーションにおいて、
操作端末機でのキー操作による操作指令信号をその時の操作時間とともに記録するとともに、これらに続いて燃料充填装置、印字装置およびコンピュータとの通信情報を記録するログ記録部を備えたことを特徴とするログ記録装置。
【請求項２】
ログ記録部のメモリを二分して、一方のメモリが満杯近くになると、他方のメモリの記録をクリアして後続の情報を記憶するように構成したことを特徴とする請求項１に記載のログ記録装置。
【発明の詳細な説明】
【０００１】
【発明の属する技術分野】
本発明は、ＬＰガス、ガソリン等の燃料を自動車等の燃料タンクに充填する燃料充填ステーションのログ記録装置に関する。
【０００２】
【従来の技術】
従来、燃料充填ステーションでは、自動車が燃料充填装置に隣接して設置された操作端末機近くに停止すると、充填ノズルを燃料タンクの注入口に接続した後、顧客用の磁気カードにより顧客情報が操作端末機で読み取られる。その後、希望の充填量設定値あるいは希望金額から算出された充填量設定値とともに、操作端末機から充填作業開始信号が燃料充填装置に送られると、充填作業が開始される。この燃料の充填量が所定の充填量設定値に達するか、満杯になって充填作業が完了すると、この時の充填量、価格等の充填情報が顧客情報とともに伝票情報として操作端末機に内蔵された伝票印字装置に送られ、これが伝票上に印字されるように構成されている。また、伝票情報は通信により操作端末機から離れた位置にある事務所内のコンピュータに送られ、その主記憶部に記憶され、これら情報から各種集計がなされるように構成されている。
【０００３】
【発明が解決しようとする課題】
この種の燃料充填ステーションでは、燃料の伝票発行までの作業は操作端末機で迅速に行えるが、その作業中にエラーが発生した場合、燃料充填装置に異常がない限り後続の自動車の燃料充填作業を行う必要が生じている。そのため、エラー修復に際しては、通常の動作指令信号を記録するだけでは、どの部分がエラー発生直前の動作指令信号であるかの判別が困難となっており、エラー発生直前の各機器の状態を知ることができず、エラー修復に手間取る等の不具合が生じている。
【０００４】
本発明は、上記不具合を解消するために発明されたもので、操作端末機の操作指令信号を操作時間とともに記録するとともに、これらに続いて燃料充填装置、印字装置およびコンピュータとの通信情報を記録するように構成した燃料充填ステーションにおけるログ記録装置を提供しようとするものである。
【０００５】
【課題を解決するための手段】
充填ノズルを備えた燃料充填装置と、各種情報を入出力する操作端末機と、この操作端末機との間で各種情報を通信するとともに発行伝票の発行番号、伝票情報等各種情報を記憶する主記憶部を有するコンピュータとを備え、操作端末機に設けられた伝票印字装置により燃料充填装置からの充填情報を印字した伝票を発行するように構成した燃料充填ステーションにおいて、
操作端末機でのキー操作による操作指令信号をその時の操作時間とともに記録するとともに、これらに続いて燃料充填装置、印字装置およびコンピュータとの通信情報を記録するログ記録部が設けられている。
【０００６】
また、前記ログ記録部のメモリを二分して、一方のメモリが満杯近くになると、他方のメモリをクリアして後続の情報を記憶するように構成してもよい。
【０００７】
【発明の実施の形態】
以下、図面に基づき本発明の実施の形態を説明する。図１において、１は自動車の燃料の燃料充填ステーションであり、自動車の燃料タンク（図示せず）に接続される充填ノズル２ａを備えた燃料充填装置２と、これに隣接して設置された操作端末機３と、操作端末機３から離れた位置にある事務所内に配置されたコンピュータ４とを有している。
【０００８】
前記燃料充填装置２は、自動車の燃料タンクへの充填ノズル２ａの接続が確認された後、充填作業開始信号が入力されると、開閉弁（図示せず）を開いて、燃料タンク内に燃料を充填するように構成されている。また、燃料充填装置２は、後記する充填量設定値に達するか、または充填ノズル２ａに付設のセンサ（図示せず）から燃料タンクが満杯になったという信号を受けると開閉弁を閉じて充填を終え、この時の燃料名および充填量でなる充填情報を充填完了信号とともに操作端末機３に出力するように構成されている。
【０００９】
前記コンピュータ４は在庫燃料情報、発行伝票の伝票番号、顧客情報および充填情報からなる伝票情報、燃料単価等各種情報を記憶する主記憶部（図示せず）を有し、常時は付設のキーボード（図示せず）から各種指令信号を入力して所望の処理作業を行う一方で、操作端末機３から伝票情報を受けると、これを伝票番号とともに記憶部で記憶した後、伝票登録確認信号を操作端末機３に送信するように構成されている。また、このコンピュータ４は操作端末機３から顧客情報を受信すると、この顧客情報から後記する磁気カード（図示せず）の有効性を判断してこれが有効である時には、有効確認信号を操作端末機３に送るように構成されている。さらに、このコンピュータ４は操作端末機３から顧客情報とともに充填情報を受信すると、後続の情報を受信しながらこれら情報を伝票番号とともに伝票情報として主記憶部で記憶するように構成されている。なお、磁気カードが無効と判断された時には、無効表示指令信号が操作端末機３に送信される。
【００１０】
前記操作端末機３は、制御部３ｂと、制御部３ｂに各種指令信号を送る操作部３ａと、各種情報を一時記憶する記憶部３ｃと、磁気カード読み取り部３ｄと、表示部３ｅと、伝票印字装置３ｆとから構成されている。前記操作部３ａは、充填作業モード、キャンセル伝票発行モード、伝票再発行モードのいずれかが選択できるように構成されており、充填作業モード時には操作部３ａからの充填作業開始信号を燃料充填装置２に出力するように構成されている。また、操作部３ａはキャンセル伝票発行モード時には、キャンセル伝票発行指令信号を、伝票再発行モード時には伝票再発行指令信号を出力できるように構成されている。
【００１１】
前記伝票印字装置３ｆは顧客情報および充填情報でなる伝票情報を受けると、ただちにこれら情報に基づいた燃料の購入伝票を発行するように構成されている。また、この伝票印字装置３ｆは前記情報を印字中も、次の情報を一時記憶でき、先着の情報に基づく伝票発行が完了すると、続いて次の情報に基づく伝票を発行するように構成されている。
【００１２】
前記制御部３ｂは、磁気カード読み取り部３ｄに磁気カードが挿入されると、磁気カードに記憶された顧客情報をコンピュータ４に送り、コンピュータ４からの磁気カードの有効確認信号を受けた後、顧客情報を記憶部３ｃで一時記憶する一方、操作部３ａからの充填作業開始信号あるいは後記する燃料の数量の入力を待つように構成されている。また、制御部３ｂは充填作業モード時には、操作端末機３の操作部３ａから入力される所定の充填量設定値、もしくは所定の充填金額から算出される充填量設定値あるいは満杯設定の設定情報を待ち、充填作業開始信号が操作部３ａから入力されると同時に、この設定情報を燃料充填装置２に送るとともに、表示部３ｅで表示するように構成されている。しかも、この制御部３ｂは燃料充填装置２から充填完了信号を受けると、その時の燃料の単価、充填量、価格等でなる充填情報を記憶部３ｃに記憶する一方で、この充填情報を顧客情報とともに伝票印字装置３ｆ、コンピュータ４に送信するように構成されている。
【００１３】
また、前記制御部３ｂはログ記録部５ａを備えてログ記録装置５を構成しており、このログ記録部５ａには操作端末機３から指令信号が出力される毎に、これをその時の操作時間とともに記録するとともに、これらに続いて燃料充填装置２、伝票印字装置３ｆおよびコンピュータ４との通信情報を記録するように構成されている。
【００１４】
また、前記ログ記録部５ａはフラッシュメモリを有しており、このフラッシュメモリのメモリ部は二分され、一方のメモリ部が満杯近くなると、他方のメモリ部の記録を消去して後続の情報を新たに記録するように構成されている。
【００１５】
上記燃料充填ステーションにおいて、燃料充填装置２近くに停止する自動車の燃料タンクに充填ノズル２ａが接続された後、磁気カードがカード読み取り装置３ｄに挿入され、磁気カード内の顧客情報が読み取られる。この顧客情報がコンピュータ４に送られ、コンピュータ４から磁気カードの有効確認信号を待って、この顧客情報が記憶部３ｃに一時記憶される。この時、磁気カード挿入信号がログ記録部５ａのフラッシュメモリ内に記憶され、続いてコンピュータ４との通信情報が記録される。
【００１６】
その後、操作端末機３の操作部３ａで充填作業モードが選択されるとともに、所定の充填量設定値（充填金額の入力がある時にはこれから算出される充填量設定値または満杯設定）が設定情報として入力される。この状態で、操作部３ａで充填作業開始信号が入力されると、前記設定値が燃料充填装置２に送られ、開閉バルブが開き、燃料が設定情報に応じた量だけ充填される。その後、燃料の充填量が希望の設定値あるいは満杯になり、開閉バルブが閉止されて燃料充填装置２から充填完了信号が出力されることがあると、操作部３ａで選択されたモードに関係なく、その時の充填量、記憶部３ｃに一時記憶された燃料名および単価でなる充填情報が顧客情報とともに伝票印字装置３ｆおよびコンピュータ４に送信される。そのため、伝票印字装置３ｆはこれら情報に基づいて購入伝票を発行することができる。また、コンピュータ４は操作端末機３からこれら情報を受けると、これらを伝票情報として伝票番号とともに主記憶部に記憶する。この間、充填作業モード指令信号がその操作時間とともにログ記録部５ａのフラッシュメモリ内に記録され、続いて燃料充填装置２からの充填情報およびコンピュータ４との通信情報が記録される。
【００１７】
一方、充填作業中にエラーが発生した場合には、充填作業を終了した後、燃料充填装置２に異常のないことを確認し、後続の自動車の充填作業を継続することができる。その後、一日の作業が終了してから、ログ記録部５ａからエラー発生時間近くのログを呼び出す。このログ記録からエラー発生直前の各機器の動作状態を確認し、これらからエラー原因を推測してエラーを修復することができる。
【００１８】
【発明の効果】
以上説明したように、本発明は操作端末機からの指令信号をその操作時間とともに記録するとともに、これにつづいて燃料充填装置、印字装置およびコンピュータとの通信情報を記録するように構成されているため、エラー発生時に充填作業自体に問題のないことを確認した後、後続の充填作業を行って後でも、エラー直前の各機器の動作状態を知ることができ、エラー原因の発見が容易となる等の利点がある。また、本発明はメモリ部を二分して一方のメモリ部が満杯近くなると、他方のメモリ部の記録を削除して新たな情報を記録するようにしているので、誤って直近の記録を削除するようなことは皆無となる等の利点がある。
【図面の簡単な説明】
【図１】本発明の構成を示す概略ブロック図である。
【符号の説明】
１　燃料充填ステーション
２　燃料充填装置
２ａ　充填ノズル
３　操作端末機
３ａ　操作部
３ｂ　制御部
３ｃ　記憶部
３ｄ　磁気カード読み取り部
３ｅ　表示部
３ｆ　伝票印字装置
４　コンピュータ
５　ログ記録装置
５ａ　ログ記録部
【図１】
2004083041.tif 000003